(57)【要約】【課題】安価かつ短期間で施工することができる自動開閉ドア材を提供する。【解決手段】ドア板１１が内部に収納室を有する。枢軸材１２が収納室に配置され、ドア板１１の端部に回転可能に設けられる。モータ１４が動力により回転駆動される回転軸を有して収納室に配置される。回転軸は伝動部材を介して枢軸材１２を正逆両方向に回転可能に設けられている。枢軸材１２は軸方向に伸びる貫通孔を有する。貫通孔を通してモータ１４に電源供給用の電気コードが接続されている。人感センサがドア板１１の片面側から所定の距離内に位置する人を検出するようドア板１１に固定される。ビデオカメラ１５がドア板１１の片面側を監視するようドア板１１に固定される。制御装置が通信回線との接続部を有する。人感センサが人を検出するときビデオカメラ１５の映像を通信回線を通じて所定の送信先に送信する。【選択図】図１
2005061028.tif 000002
【特許請求の範囲】
【請求項１】
ドア板と枢軸材とモータとを有し、
前記ドア板は内部に収納室を有し、
前記枢軸材は前記収納室に配置され、前記ドア板の端部に回転可能に設けられ、
前記モータは動力により回転駆動される回転軸を有して前記収納室に配置され、前記回転軸は伝動部材を介して前記枢軸材を正逆両方向に回転可能に設けられていることを、
特徴とする自動開閉ドア材。
【請求項２】
前記枢軸材は軸方向に伸びる貫通孔を有し、前記貫通孔を通して前記モータに電源供給用の電気コードが接続されていることを、特徴とする請求項１記載の自動開閉ドア材。
【請求項３】
人感センサとビデオカメラと制御装置とを有し、
前記人感センサは前記ドア板の片面側から所定の距離内に位置する人を検出するよう前記ドア板に固定され、
前記ビデオカメラは前記ドア板の前記片面側を監視するよう前記ドア板に固定され、
前記制御装置は通信回線との接続部を有し、前記人感センサが人を検出するとき前記ビデオカメラの映像を前記通信回線を通じて所定の送信先に送信する構成を有することを、
特徴とする請求項１または２記載の自動開閉ドア材。
【請求項４】
煙検出センサと制御装置とを有し、
前記煙検出センサは前記ドア板の片面側で煙を検出するよう前記ドア板に固定され、
前記制御装置は前記煙検出センサが煙を検出するとき前記ドア板が開くよう前記モータを駆動する構成を有することを、
特徴とする請求項１，２または３記載の自動開閉ドア材。
【請求項５】
環境検出センサと換気装置と制御装置とを有し、
前記ドア板は少なくとも片面に換気孔を有し、
前記枢軸材は軸方向に伸びる貫通孔を有し、
前記環境検出センサは前記ドア板の片面側で環境状態を数値で検出するよう前記ドア板に固定され、
前記換気装置は動力により前記換気孔を通してドア板外側の空気を前記貫通孔に吸引するよう設けられ、
前記制御装置は前記環境検出センサが検出した数値が所定の数値範囲から外れるとき前記換気装置を駆動する構成を有することを、
特徴とする請求項１，２，３または４記載の自動開閉ドア材。
【請求項６】
スピーカを有し、
前記スピーカは前記収納室にスピーカの音を反響させるよう配置されて、前記ドア板の少なくとも片面に音声出力部を有し、
前記枢軸材は軸方向に伸びる貫通孔を有し、前記貫通孔を通して前記スピーカに音声信号供給用の配線コードが接続されていることを、
特徴とする請求項１，２，３，４または５記載の自動開閉ドア材。
【請求項７】
基軸材を有し、
前記基軸材は前記ドア板の下端に固定され、
前記枢軸材は前記基軸材に対し回転可能に設けられ、前記基軸材および前記枢軸材は互いに所定の角度をなすとき係合するストッパを有することを、
特徴とする請求項１，２，３，４，５または６記載の自動開閉ドア材。
【発明の詳細な説明】
【技術分野】
【０００１】
本発明は、住宅などのドアに用いられる自動開閉ドア材に関する。
【背景技術】
【０００２】
従来の自動ドアとしては、ドアの受枠側に動力が設けられ、引戸式のドア板を受枠に対してスライドさせて開閉するもの、回転式ドア板を縦方向縁部を中心としてモータにより回転させるものなどが知られている。
【発明の開示】
【発明が解決しようとする課題】
【０００３】
しかしながら、従来の自動ドアでは、受枠側に動力が設けられているため、受枠とともに設置する必要があり、受枠のコストがかかるうえ、工事が大掛かりで工事費が嵩み、また、施工に長期間を要するという課題があった。
【０００４】
本発明は、このような従来の課題に着目してなされたもので、安価かつ短期間で施工することができる自動開閉ドア材を提供することを目的としている。
【課題を解決するための手段】
【０００５】
上記目的を達成するために、本発明に係る自動開閉ドア材は、ドア板と枢軸材とモータとを有し、前記ドア板は内部に収納室を有し、前記枢軸材は前記収納室に配置され、前記ドア板の端部に回転可能に設けられ、前記モータは動力により回転駆動される回転軸を有して前記収納室に配置され、前記回転軸は伝動部材を介して前記枢軸材を正逆両方向に回転可能に設けられていることを、特徴とする。枢軸材は、ドア板の下端部にのみ設けられていても、下端部と上端部とに設けられていても、下端から上端まで連続した１本の軸材として設けられていてもよい。
【０００６】
本発明に係る自動開閉ドア材は、ドア板の内部にモータが配置されているため、枢軸材を受枠側に固定すれば、設置可能である。このため、既存の受枠に設置することで、受枠のコストを掛けずに安価な工事費で設置することができ、また、短期間に施工することができる。
【０００７】
本発明に係る自動開閉ドア材は、前記枢軸材は軸方向に伸びる貫通孔を有し、前記貫通孔を通して前記モータに電源供給用の電気コードが接続されていることが好ましい。
この構成では、モータへの電源供給用の電気コードがドア板の開閉の障害にならず、ドア板を円滑に開閉することができる。
【０００８】
本発明に係る自動開閉ドア材は、人感センサとビデオカメラと制御装置とを有し、前記人感センサは前記ドア板の片面側から所定の距離内に位置する人を検出するよう前記ドア板に固定され、前記ビデオカメラは前記ドア板の前記片面側を監視するよう前記ドア板に固定され、前記制御装置は通信回線との接続部を有し、前記人感センサが人を検出するとき前記ビデオカメラの映像を前記通信回線を通じて所定の送信先に送信する構成を有していてもよい。人感センサは、赤外線センサ、超音波センサ、その他、人がいるのを検出するいかなるセンサであってもよい。
【０００９】
この構成では、人感センサがドア板の片面側で人を検出すると、制御装置によりビデオカメラの映像を、通信回線を通じて所定の送信先に送信することができる。本発明に係る自動開閉ドア材を玄関ドアに利用し、所定の送信先を画面付き携帯電話などに設定しておけば、玄関に不審な訪問者があったとき、その映像を確認し、警察などに通報することができる。
【００１０】
本発明に係る自動開閉ドア材は、煙検出センサと制御装置とを有し、前記煙検出センサは前記ドア板の片面側で煙を検出するよう前記ドア板に固定され、前記制御装置は前記煙検出センサが煙を検出するとき前記ドア板が開くよう前記モータを駆動する構成を有していてもよい。
この構成では、煙検出センサがドア板の片面側で煙を検出すると、制御装置によりモータを駆動してドア板を開く。これにより、煙が出た室内から外へ逃げやすくなり、火事による死亡事故の減少を図ることができる。
【００１１】
本発明に係る自動開閉ドア材は、環境検出センサと換気装置と制御装置とを有し、前記ドア板は少なくとも片面に換気孔を有し、前記枢軸材は軸方向に伸びる貫通孔を有し、前記環境検出センサは前記ドア板の片面側で環境状態を数値で検出するよう前記ドア板に固定され、前記換気装置は動力により前記換気孔を通してドア板外側の空気を前記貫通孔に吸引するよう設けられ、前記制御装置は前記環境検出センサが検出した数値が所定の数値範囲から外れるとき前記換気装置を駆動する構成を有していてもよい。環境検出センサは、温度センサ、湿度センサ、においセンサ、二酸化炭素濃度検出センサその他、室内空気環境を検出可能ないかなるセンサから成っていてもよい。
【００１２】
この構成では、環境検出センサがドア板の片面側で検出した環境状態の数値が所定の数値範囲から外れると、制御装置により換気装置がドア板の換気孔を通してドア板外側の空気を枢軸材の貫通孔に吸引する。これにより、ドア板の片面側の室内の空気環境を常に良好な状態に保つことができる。
【００１３】
本発明に係る自動開閉ドア材は、スピーカを有し、前記スピーカは前記収納室にスピーカの音を反響させるよう配置されて、前記ドア板の少なくとも片面に音声出力部を有し、前記枢軸材は軸方向に伸びる貫通孔を有し、前記貫通孔を通して前記スピーカに音声信号供給用の配線コードが接続されていてもよい。
この構成では、配線コードを介してドア板のスピーカから音声を出すことができる。スピーカの配線コードをステレオ装置に接続すれば、スピーカから音楽などを奏でることができる。配線コードは枢軸材の貫通孔を通るためドア板の開閉の障害にならず、ドア板を円滑に開閉することができる。
【００１４】
本発明に係る自動開閉ドア材は、基軸材を有し、前記基軸材は前記ドア板の下端に固定され、前記枢軸材は前記基軸材に対し回転可能に設けられ、前記基軸材および前記枢軸材は互いに所定の角度をなすとき係合するストッパを有していてもよい。
この構成では、基軸材および枢軸材が互いに所定の角度をなすときストッパにより係合するので、所定の角度より大きくドア板が開くのを防止し、ドア板が壁に当たって壁を傷付けるのを防ぐことができる。
【発明の効果】
【００１５】
本発明によれば、安価かつ短期間で施工することができる自動開閉ドア材を提供する。
【発明を実施するための最良の形態】
【００１６】
以下、図面に基づき本発明の実施の形態について説明する。
図１は、本発明の実施の形態の自動開閉ドア材を示している。
図１に示すように、自動開閉ドア材１０は、ドア板１１と枢軸材１２と基軸材１３とセンサ付モータ１４とセンサ付ビデオカメラ１５と煙検出センサ１７と環境検出センサ１８とスピーカ１９とセンサ付液体噴霧装置２０と換気装置３０と制御装置４０とライト５０とを有する。このうち、制御装置４０、換気装置５０およびライト６０は、ドア板１１から離れた位置に設けられている。
【００１７】
ドア板１１は、２枚の長方形の板材１１ａを互いに平行に対向させて配置し、４辺に沿った４つの縁部を細長い縁材１１ｂで閉じて構成されている。これにより、ドア板１１は、内部に収納室１１ｃを有している。ドア板１１は、両面にドアノブ１１ｄが取り付けられている。
【００１８】
枢軸材１２および基軸材１３は、ドア板１１の上端と下端とに設けられている。枢軸材１２は、軸部１２ａと基台１２ｂとから一体的に成り、軸部１２ａは基台１２ｂに対し垂直に伸びている。軸部１２ａは、筒状であって軸方向に伸びる貫通孔１２ｃを有している。下側の枢軸材１２の軸部１２ａは、外側に肩部１２ｄを有して先端部１２ｅの直径が基部１２ｆの直径より小さくなっている。基軸材１３は、筒状であって貫通孔１３ａを有している。下側の基軸材１３は、内側に段部１３ｂを有して上部１３ｃの内径が下部１３ｄの内径より小さくなっている。基軸材１３は、上部１３ｃの内径が軸部１２ａの先端部１２ｅの直径とほぼ一致し、下部１３ｄの内径が軸部１２ａの基部１２ｆの直径とほぼ一致している。基軸材１３は、下端がドア板１１の下端の縁材１１ｂに固定されている。軸部１２ａは、基軸材１３の貫通孔１２ｃに下側から挿入されて貫通し、肩部１２ｄでベアリング２１を介して基軸材１３の段部１３ｂを支持している。これにより、枢軸材１２は、基軸材１３に対しベアリング２１を介して回転可能に設けられている。軸部１２ａは、基軸材１３から突出した先端部１２ｅの周囲に歯車２２が形成されている。基台１２ｂは、土台１に固定されたドアの受枠２の下部にビス３でビス止めされている。土台１には、パイプ４が枢軸材１２に接続し、土台１を貫通して固定されている。
【００１９】
上側の枢軸材１２は下側の枢軸材１２と同じ形状で上下逆向きに配置され、基台１２ｂはドアの受枠２の上部にビス止めされている。上側の基軸材１３は、下側の基軸材１３と同じ形状で上下逆向きにドア板１１の上端の縁材１１ｂに固定されている。上側の枢軸材１２は、上側の基軸材１３の貫通孔１２ｃに上側から挿入されて貫通し、肩部１２ｄでベアリング２１を介して基軸材１３に対し回転可能に設けられている。
【００２０】
枢軸材１２および基軸材１３は、互いに所定の角度をなすとき係合するストッパ２３を有している。枢軸材１２側のストッパ２３は、軸部１２ａの肩部１２ｄに設けられている。肩部１２ｄは、先端部１２ｅの周囲で徐々に傾斜し、段差をなしてストッパ２３を形成している。基軸材１３は、肩部１２ｄとスライドする段部１３ｂが肩部１２ｄの傾斜と一致する傾斜を有し、枢軸材１２側の段差と合った段差をなして、枢軸材１２側のストッパ２３と係合するストッパを形成している。
【００２１】
センサ付モータ１４は、家庭用電源に接続されて電動で回転駆動される回転軸１４ａを有している。センサ付モータ１４は、収納室１１ｃに配置され、下端の縁材１１ｂに固定されている。回転軸１４ａは、伝動部材２４を介して枢軸材１２を正逆両方向に回転可能に設けられている。回転軸１４ａは、先端に歯車２５が固定されている。図２に示すように、伝動部材２４は、下端の縁材１１ｂに軸材２４ａにより回転可能に取り付けられた歯車２４ｂから成っている。伝動部材２４の歯車２４ｂは、回転軸１４ａの歯車２５および枢軸材１２の歯車２２と噛合して、回転軸１４ａの回転を枢軸材１２の回転に伝達するようになっている。センサ付モータ１４の電源供給用の電気コード２６は、ドア板１１の外部から枢軸材１２の貫通孔１２ｃを通してセンサ付モータ１４に接続されている。
【００２２】
センサ付モータ１４は、２つの人感センサ部を有している。各人感センサ部は、ドア板１１の両面にそれぞれ取り付けられ、ドア板１１の片面側から所定の距離内に位置する人を検出するようになっている。センサ付モータ１４は、人感センサ部が人を検出したとき、その人感センサ部が取り付けられた側の反対側にドア板１１が回転するよう回転軸１４ａを回転させる構成を有している。人感センサ部は、例えば、赤外線センサおよび超音波センサから成っている。
【００２３】
センサ付ビデオカメラ１５は、人感センサ部でドア板１１の片面側から所定の距離内に位置する人を検出し、ビデオカメラ部１５でドア板１１の片面側を監視するようドア板１１に固定されている。制御装置４０は、通信回線との接続部を有し、人感センサ部が人を検出するとき、ビデオカメラ部１５の映像を、通信回線を通じて所定の送信先に送信する構成を有している。制御装置４０は、室内に設けられている。ビデオカメラ部１５を制御装置４０に接続するＬＡＮケーブル２７は、枢軸材１２の貫通孔１２ｃを通って制御装置４０に接続されている。
【００２４】
煙検出センサ１７は、ドア板１１の片面側で煙を検出するようドア板１１に固定されている。煙検出センサ１７は、枢軸材１２の貫通孔１２ｃを通るケーブル２８を介して制御装置４０に接続されている。制御装置４０は、枢軸材１２の貫通孔１２ｃを通るケーブル２８を介してセンサ付モータ１４に接続され、煙検出センサ１７が煙を検出するときドア板１１が開くようセンサ付モータ１４を駆動する構成を有している。
【００２５】
ドア板１１は、片面に換気孔２９を有している。環境検出センサ１８は、温度センサ、湿度センサおよびにおいセンサから成っている。環境検出センサ１８は、ドア板１１の片面側で環境状態を数値で検出するようドア板１１に固定されている。環境検出センサ１８は、枢軸材１２の貫通孔１２ｃを通るケーブル２８を介して制御装置４０に接続されている。換気装置５０は、電動の吸引ファンを備え、天井裏などに設けられている。換気装置５０は、換気孔２９を通してドア板１１外側の空気を貫通孔１２ｃに吸引するようになっている。制御装置４０は、枢軸材１２の貫通孔１２ｃを通るケーブル２８を介して換気装置５０に接続され、環境検出センサ１８が検出した数値が所定の数値範囲から外れるとき換気装置５０を駆動する構成を有している。
【００２６】
スピーカ１９は、収納室１１ｃにスピーカ１９の音を反響させるよう配置されている。スピーカ１９は、ドア板１１の片面に音声出力部を有している。スピーカ１９には、貫通孔１２ｃを通して音声信号供給用の配線コード１９ａが接続されている。配線コード１９ａは、室内のステレオ装置に接続されている。
【００２７】
センサ付液体噴霧装置２０は、ドア板１１の片面に設けられている。センサ付液体噴霧装置２０は、枢軸材１２の貫通孔１２ｃを通るケーブル２８を介して制御装置４０に接続されている。センサ付液体噴霧装置２０の電源供給用の電気コード２６は、ドア板１１の外部から枢軸材１２の貫通孔１２ｃを通してセンサ付液体噴霧装置２０に接続されている。制御装置４０には、遠隔操作スイッチが設けられている。センサ付液体噴霧装置２０は、人感センサ部でドア板１１の片面側から所定の距離内に位置する人を検出したとき、制御装置４０に検出信号を送り、制御装置４０の遠隔操作スイッチの操作により液体噴霧部からドア板１１の片面側に液体を噴霧するようになっている。噴霧する液体は、水のほか着色液でもよい。
【００２８】
ライト６０は、枢軸材１２の貫通孔１２ｃを通してセンサ付ビデオカメラ１５に接続されている。ライト６０は、センサ付ビデオカメラ１５の人感センサ部でドア板１１の片面側から所定の距離内に位置する人を検出したとき、所定時間、点灯するようになっている。
【００２９】
次に、作用について説明する。
自動開閉ドア材１０は、ドア板１１の内部にセンサ付モータ１４が配置されているため、上側および下側の枢軸材１２の基台１２ｂをビス３で受枠２側に固定すれば、設置可能である。このため、既存の受枠２に設置することで、受枠２のコストを掛けずに安価な工事費で設置することができ、また、短期間に施工することができる。自動開閉ドア材１０は、既存の受枠２以外の受枠２に設置してもよい。ドア板１１を受枠２に取り付ける場合、ドア板１１を開きすぎるとき互いに前記の所定の角度をなすように取り付ける。
【００３０】
自動開閉ドア材１０は、センサ付モータ１４の人感センサ部がドア板１１の片面側で人を検出すると、センサ付モータ１４の回転軸１４ａを所定の方向に回転させる。回転軸１４ａの歯車２５は、伝動部材２４を介して枢軸材１２の歯車２２と係合しているため、その回転により、人を検出した人感センサ部が取り付けられた側の反対側にドア板１１を回転させる。これにより、進もうとする方向にドア板１１を自動的に開くことができる。ドア板１１が開閉するとき、基軸材１３および枢軸材１２が互いに所定の角度をなすと、ストッパ２３により係合し、所定の角度より大きくドア板１１が開くのを防止する。これにより、ドア板１１が壁に当たって壁を傷付けるのを防ぐことができる。
【００３１】
センサ付モータ１４は電気コード２６により供給される電気で駆動されるが、電源供給用の電気コード２６は枢軸材１２の貫通孔１２ｃを通っているため、ドア板１１の開閉の障害にならない。このため、ドア板１１を円滑に開閉することができる。
【００３２】
また、自動開閉ドア材１０は、センサ付ビデオカメラ１５の人感センサ部がドア板１１の片面側で人を検出すると、制御装置４０によりセンサ付ビデオカメラ１５の映像を、通信回線を通じて所定の送信先に送信することができる。自動開閉ドア材１０を玄関ドアに利用し、所定の送信先を画面付き携帯電話などに設定しておけば、玄関に不審な訪問者があったとき、その映像を確認し、警察などに通報することができる。
【００３３】
自動開閉ドア材１０は、煙検出センサ１７がドア板１１の片面側で煙を検出すると、制御装置４０によりセンサ付モータ１４を駆動してドア板１１を開く。これにより、煙が出た室内から外へ逃げやすくなり、火事による死亡事故の減少を図ることができる。
【００３４】
さらに、温度センサ、湿度センサおよびにおいセンサから成る環境検出センサ１８がドア板１１の片面側で検出した環境状態の数値が所定の数値範囲から外れると、制御装置４０により換気装置５０がドア板１１の換気孔２９を通してドア板１１の外側の空気を枢軸材１２の貫通孔１２ｃから吸引する。例えば、室温が3０度以上であることを温度センサが検出した場合や、湿度センサが室内の湿度が８０％以上であることを検出した場合、においセンサが悪臭を検出した場合に、換気装置５０を作動させる。これにより、ドア板１１の片面側の室内の空気環境を新鮮な空気により常に良好な状態に保つことができる。
【００３５】
また、自動開閉ドア材１０は、配線コード１９ａを介してドア板１１のスピーカ１９からステレオ装置の音楽などを奏でることができる。配線コード１９ａは枢軸材１２の貫通孔１２ｃを通るためドア板１１の開閉の障害にならず、ドア板１１を円滑に開閉することができる。
【００３６】
さらに、センサ付液体噴霧装置２０の人感センサ部が人を検出すると、制御装置４０に検出信号が送られる。このとき、センサ付ビデオカメラ１５に映った人の映像を画面付き携帯電話で確認し、不審者であれば、制御装置４０の遠隔操作スイッチの操作によりセンサ付液体噴霧装置２０の液体噴霧部からドア板１１の片面側に液体を噴霧する。これにより、不審者を撃退することができる。
【００３７】
また、センサ付ビデオカメラ１５の人感センサ部が人を検出すると、ライト６０が所定時間、点灯する。このため、必要なときだけライト６０を点灯させることができ、光熱費を節約することができる。
【図面の簡単な説明】
【００３８】
【図１】本発明の実施の形態の自動開閉ドア材１０の一部切欠正面図である。
【図２】図１に示す自動開閉ドア材１０の要部斜視図である。
【図３】図１に示す自動開閉ドア材１０の要部断面説明図である。
【図４】図１に示す自動開閉ドア材１０の受枠２を示す正面図である。
【符号の説明】
【００３９】
１    床
２    壁
３    天井
４    床下空間
５    天井裏空間
【図４】
2005061028.tif 000003
【図１】
2005061028.tif 000004
【図２】
2005061028.tif 000005
【図３】
2005061028.tif 000006